(57)【特許請求の範囲】
【請求項１】
光が入射する入光面と、前記入光面に交差し光が出射する出光面と、前記出光面に対向する背面とを有し、前記入光面から入射した光を前記入光面に対向する面側へ導光しながら前記出光面から出射する導光板であって、
前記背面に、背面側単位光学形状が光の導光方向に複数配列され、
前記背面側単位光学形状は、背面側に凸となる柱状であり、その配列方向に平行であって該導光板の厚み方向に平行な断面において、その断面形状が、入光面側に位置する第１斜面部と、前記第１斜面部に対向する他方側に位置して入射する光の少なくとも一部を全反射する第２斜面部と、前記第１斜面部と前記第２斜面部との間であって最も背面側に位置する頂面部とを有し、
前記頂面部は、第１斜面部側の端部が第２斜面部側の端部よりも背面側に位置するように傾斜しており、
前記第２斜面部が該導光板の板面に平行な面となす角度をβとし、前記頂面部が該導光板の板面に平行な面となす角度をγとするとき、
０．２°＜γ＜０．７°
１°＜β＜５°
（β−γ）＜２°
という関係を満たすこと、
を特徴とする導光板。
【請求項２】
請求項１に記載の導光板において、
前記背面側単位光学形状は、配列ピッチＰ１が一定であり、
前記配列ピッチＰ１に対して、前記第２斜面部が前記背面側単位光学形状の配列方向において占める寸法Ｗａの比Ｗａ／Ｐ１は、前記入光面から離れるにつれて大きくなること、
を特徴とする導光板。
【請求項３】
請求項１又は請求項２に記載の導光板において、
前記頂面部は、背面側への高さが異なる複数の面を有し、
前記複数の面は、
該導光板の板面に平行な面と角度γをなし、
導光方向において最も第１斜面部側に位置する面が最も背面側への高さが小さく、第２斜面部側へ向かうにつれて背面側への高さが大きくなること、
を特徴とする導光板。
【請求項４】
請求項１から請求項３までのいずれか１項に記載の導光板と、
前記導光板の前記入光面に対面する位置に設けられ、前記入光面へ光を投射する光源部と、
前記導光板の出光面側に配置され、前記導光板から出射した光を、そのシート面の法線方向又は法線方向となす角度が小さくなる方向へ向ける偏向作用を有する偏向光学シートと、
前記導光板の背面側に配置され、前記導光板の前記背面から出射した光を導光板側に反射する反射部材と、
を備える面光源装置。
【請求項５】
請求項４に記載の面光源装置と、
前記面光源装置によって背面側から照明される透過型表示部と、
を備える透過型表示装置。
【発明の詳細な説明】
【技術分野】
【０００１】
本発明は、導光板、及び、これを備える面光源装置、透過型表示装置に関するものである。
【背景技術】
【０００２】
従来、ＬＣＤ（Ｌｉｑｕｉｄ  Ｃｒｙｓｔａｌ  Ｄｉｓｐｌａｙ）パネル等の透過型表示部を背面から面光源装置（バックライト）によって照明し、映像を表示する透過型表示装置が知られている。
面光源装置は、大きく分けて、各種光学シート等の光学部材の直下に光源を配置する直下型のものと、光学部材の側面側に光源が配置されるエッジライト型のものがある。このエッジライト型の面光源装置は、光源を導光板等の光学部材の側面側に配置することから、直下型のものに比べて面光源装置をより薄型化できるという利点を有し、近年広く用いられている。
【０００３】
一般的に、エッジライト型の面光源装置では、導光板の側面である入光面に対面する位置に光源が配置されており、光源が発する光は、入光面から導光板に入射し、出光面と出光面に対向する背面とで反射を繰り返しながら、入光面に略直交する方向（導光方向）へ進む。そして、導光板の背面に設けられた拡散パターンやプリズム形状等によって光の進行方向を変化させることにより、出光面の導光方向に沿った各位置から少しずつ光がＬＣＤパネル側へ出光していく。
近年では、背面にプリズム形状等の単位光学形状が複数配列された導光板が広く用いられている（特許文献１，２）。
【先行技術文献】
【特許文献】
【０００４】
【特許文献１】特開２００５−２５９３６１号公報
【特許文献２】特開平９−１６６７１３号公報
【発明の概要】
【発明が解決しようとする課題】
【０００５】
導光板の背面の単位光学形状としては、例えば、出光面に平行であり、光を対向面側へ導光するために出光面に対して臨界角以上で入射するように光を反射する面と、出光面に対して傾斜しており、反射した光を出光面に対して臨界角未満で入射させて出光面から出射させる斜面とを有するものが知られている。
このような導光板は、光を拡散反射しないので、正面輝度を高くすることができ、また、導光方向において光源から離れた領域であっても、十分に導光することができ、光の均一性も良好である。
【０００６】
上述のような導光板では、主として斜面で反射し、出光面に対して臨界角未満で入射した光の多くが出光面から出射する。また、この斜面は、導光方向に複数配列されている。そのため、導光板からの出光量は、導光方向において大きくなったり、小さくなったりを繰り返して変化している。
これにより、面光源装置の出光面上に明暗縞が生じ、この明暗縞と液晶パネルの画素との干渉により、透過型表示装置の表示面上にモアレが生じて、ディスプレイの画質を大幅に低下させるという問題があった。
特許文献１，２には、上述のような面光源装置の出光面に生じる明暗縞や、透過型表示装置の表示面に生じるモアレに対する対策は、なんら開示されていない。
【０００７】
本発明の課題は、モアレの発生を大幅に低減し、良好な映像を表示できる導光板、及び、これを備える面光源装置、透過型表示装置を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
請求項１の発明は、光が入射する入光面（１３ａ）と、前記入光面に交差し光が出射する出光面（１３ｃ）と、前記出光面に対向する背面（１３ｄ）とを有し、前記入光面から入射した光を前記入光面に対向する面側へ導光しながら前記出光面から出射する導光板であって、前記背面に、背面側単位光学形状（１３１）が光の導光方向に複数配列され、前記背面側単位光学形状は、背面側に凸となる柱状であり、その配列方向に平行であって該導光板の厚み方向に平行な断面において、その断面形状が、入光面側に位置する第１斜面部（１３２）と、前記第１斜面部に対向する他方側に位置して入射する光の少なくとも一部を全反射する第２斜面部（１３３）と、前記第１斜面部と前記第２斜面部との間であって最も背面側に位置する頂面部（１３４，２３４）とを有し、前記頂面部は、第１斜面部側の端部が第２斜面部側の端部よりも背面側に位置するように傾斜しており、前記第２斜面部が該導光板の板面に平行な面となす角度をβとし、前記頂面部が該導光板の板面に平行な面となす角度をγとするとき、０．２°＜γ＜０．７°、１°＜β＜５°、（β−γ）＜２°という関係を満たすこと、を特徴とする導光板（１３，２３）である。
請求項２の発明は、請求項１に記載の導光板において、前記背面側単位光学形状（１３１）は、配列ピッチＰ１が一定であり、前記配列ピッチＰ１に対して、前記第２斜面部（１３３）が前記背面側単位光学形状の配列方向において占める寸法Ｗａの比Ｗａ／Ｐ１は、前記入光面（１３ａ）から離れるにつれて大きくなること、を特徴とする導光板（１３，２３）である。
請求項３の発明は、請求項１又は請求項２に記載の導光板において、前記頂面部（２３４）は、背面側への高さが異なる複数の面（２３４ａ〜２３４ｄ）を有し、前記複数の面は、該導光板の板面に平行な面と角度γをなし、導光方向において最も第１斜面部側に位置する面（２３４ａ）が最も背面側への高さが小さく、第２斜面部側へ向かうにつれて背面側への高さが大きくなること、を特徴とする導光板（２３）である。
請求項４の発明は、請求項１から請求項３までのいずれか１項に記載の導光板（１３，２３）と、前記導光板の前記入光面（１３ａ）に対面する位置に設けられ、前記入光面へ光を投射する光源部（１２）と、前記導光板の出光面側に配置され、前記導光板から出射した光を、そのシート面の法線方向又は法線方向となす角度が小さくなる方向へ向ける偏向作用を有する偏向光学シート（１５）と、前記導光板の背面側に配置され、前記導光板の前記背面から出射した光を導光板側に反射する反射部材（１４）と、を備える面光源装置（１０）である。
請求項５の発明は、請求項４に記載の面光源装置（１０）と、前記面光源装置によって背面側から照明される透過型表示部（１１）と、を備える透過型表示装置（１）である。
【発明の効果】
【０００９】
本発明によれば、モアレの発生を大幅に低減でき、良好な映像を表示できる導光板、及び、これを備える面光源装置、透過型表示装置を提供することができる。
【図面の簡単な説明】
【００１０】
【図１】第１実施形態の透過型表示装置１を説明する図である。
【図２】第１実施形態の導光板１３を説明する図である。
【図３】背面側単位光学形状１３１における光の様子を説明する図である。
【図４】プリズムシート１５を説明する図である。
【図５】比較例１，２の導光板１３Ｂ，１３Ｃを説明する図である。
【図６】第２実施形態の導光板２３を説明する図である。
【図７】モアレを生じさせる明暗縞について説明する図である。
【発明を実施するための形態】
【００１１】
以下、図面等を参照して、本発明の実施形態について説明する。
なお、図１を含め、以下に示す各図は、模式的に示した図であり、各部の大きさ、形状は、理解を容易にするために、適宜誇張している。
本明細書中において、板、シート等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、シート、板、フィルムの文言は、適宜置き換えることができるものとする。例えば、光学シートは、光学フィルムとしてもよいし、光学板としてもよい。
【００１２】
本明細書中に記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中において、シート面（板面，フィルム面）とは、各シート（板，フィルム）において、そのシート（板，フィルム）全体として見たときにおける、シート（板，フィルム）の平面方向となる面を示すものであるとする。
【００１３】
（第１実施形態）
図１は、第１実施形態の透過型表示装置１を説明する図である。
第１実施形態の透過型表示装置１は、ＬＣＤパネル１１と面光源装置１０とを備えている。透過型表示装置１は、ＬＣＤパネル１１を背面側から面光源装置１０で照明し、ＬＣＤパネル１１に形成される映像情報を表示する。
なお、図１を含め以下の図中及び以下の説明において、理解を容易にするために、透過型表示装置１の使用状態において、透過型表示装置１の画面に平行であって互いに直交する２方向をＸ方向（Ｘ１−Ｘ２方向）、Ｙ方向（Ｙ１−Ｙ２方向）とし、透過型表示装置１の画面に直交する方向をＺ方向（Ｚ１−Ｚ２方向）とする。なお、Ｚ方向においてＺ１側が背面側であり、Ｚ２側は観察者側である。
【００１４】
透過型表示装置１の画面は、ＬＣＤパネル１１の最もＺ２側（観察者側）の面（以下、表示面という）１１ａに相当する。また、透過型表示装置１の「正面方向」とは、この表示面１１ａの法線方向であり、Ｚ方向に平行であり、後述する導光板１３の板面の法線方向やプリズムシート１５のシート面の法線方向と一致するものとする。また、透過型表示装置１の表示面１１ａは、ＸＹ面に平行であり、後述する導光板１３の板面、プリズムシート１５のシート面と平行であるとする。
【００１５】
ＬＣＤパネル１１は、透過型の液晶表示素子により形成された略板状の部材であり、その表示面１１ａに映像情報を形成する透過型表示部である。本実施形態のＬＣＤパネル１１の外形及び表示面１１ａは、Ｚ方向から見て略矩形形状であり、Ｘ方向に平行な対向する２辺と、Ｙ方向に平行な対向する２辺とを有している。
【００１６】
面光源装置１０は、ＬＣＤパネル１１をＺ１側（背面側）から照明する装置であり、所謂、エッジライト型の面光源装置（バックライト）である。
面光源装置１０は、光源部１２、導光板１３、反射シート１４、プリズムシート１５、光学シート１６を備えている。導光板１３、反射シート１４、プリズムシート１５、光学シート１６等は、Ｚ方向から見て略矩形形状であり、Ｘ方向に平行な対向する２辺と、Ｙ方向に平行な対向する２辺とを有している。
【００１７】
光源部１２は、ＬＣＤパネル１１を照明する光を発する部分である。光源部１２は、導光板１３のＸ方向の一方（Ｘ１側）の端面である入光面１３ａに対面する位置に、Ｙ方向に沿って配置されている。
光源部１２は、点光源１２１がＹ方向に所定の間隔で複数配列されて形成されている。点光源１２１は、ＬＥＤ（Ｌｉｇｈｔ  Ｅｍｉｔｔｉｎｇ  Ｄｉｏｄｅ）光源である。
なお、光源部１２は、例えば、Ｙ方向に延在する冷陰極管等の線光源としてもよいし、Ｙ方向に延在するライトガイドの端面に光源を配置した形態としてもよい。また、光源部１２の発する光の利用効率を向上させる観点から、光源部１２の外側（Ｘ１側やＺ２側）を覆うように不図示の反射板を設けてもよい。
【００１８】
導光板１３は、光を導光する略平板状の部材であり、入光面１３ａと、対向面１３ｂと、出光面１３ｃと、背面１３ｄとを有している。導光板１３は、光源部１２が発する光を入光面１３ａから入射させ、出光面１３ｃと背面１３ｄとで全反射させながら、入光面１３ａに対向する対向面１３ｂ側（Ｘ２側）へ、主にＸ方向に導光しながら、出光面１３ｃからプリズムシート１５側（Ｚ２側）へ適宜出射させる。
本実施形態の導光板１３の入光面１３ａ及び対向面１３ｂは、導光板１３のＸ方向の両端部（Ｘ１側端部、Ｘ２側端部）に位置している。また、特に断りがない場合、導光板１３の出光面１３ｃ、背面１３ｄは、それぞれ、導光板１３全体として見たときの出光側の面、背面側の面であり、ＸＹ面及び導光板１３の板面に平行であるとする。
以下、導光板１３の各部について説明する。
【００１９】
図２は、第１実施形態の導光板１３を説明する図である。図２（ａ）は、出光側単位光学形状１３５を説明する図であり、図２（ｂ）は、背面側単位光学形状１３１を説明する図である。図２（ａ）では、導光板１３のＹＺ面に平行な断面の一部を拡大して示し、図２（ｂ）では、導光板１３のＸＺ面に平行な断面の一部を拡大して示している。
出光側単位光学形状１３５は、図１及び図２（ａ）に示すように、出光側（ＬＣＤパネル１１側、Ｚ２側）に凸となる柱状であり、導光板１３の観察者側（Ｚ２側）の面に、長手方向（稜線方向）をＸ方向とし、Ｙ方向に複数配列されて形成されている。
【００２０】
出光側単位光学形状１３５は、図２（ａ）に示すように、その配列方向に平行であって導光板１３の板面に直交する断面（ＹＺ面）での断面形状が、略五角形形状である。
この出光側単位光学形状１３５の頂角は、δ１であり、谷側の斜面がＺ方向となす角度は、δ２である。また、出光側単位光学形状１３５の配列ピッチは、Ｐ２である。本実施形態の配列ピッチＰ２は、出光側単位光学形状１３５の配列方向の幅Ｗ２に等しい（Ｐ２＝Ｗ２）形態となっている。
【００２１】
出光側単位光学形状１３５の配列ピッチＰ２は、１０〜１００μｍ程度とすることが好ましい。
配列ピッチＰ２がこの範囲よりも小さいと、出光側単位光学形状１３５の製造が困難となり、設計通りの形状が得られなくなり、所望する光学性能が得られない場合がある。また、配列ピッチＰ２がこの範囲よりも大きいと、ＬＣＤパネル１１の画素とのモアレが生じやすくなったり、面光源装置１０等としての使用状態において、出光側単位光学形状１３５のピッチが筋状に認識されやすくなったりする。従って、配列ピッチＰ２は、上記範囲とすることが好ましい。
【００２２】
なお、出光側単位光学形状１３５は、上記の例に限らず、所望する光学性能に合わせて、その形状を変更してもよい。例えば、出光側単位光学形状１３５は、断面形状が二等辺三角形形状や台形形状等となる多角柱形状や、長軸が導光板１３の板面（出光面１３ｃ）に直交する楕円柱の一部形状としてもよいし、円柱の一部形状としてもよい。また、出光側単位光学形状１３５は、複数種類の曲面や平面を組み合わせてなる形状としてもよい。
出光側単位光学形状１３５は、その長手方向（稜線方向）が、導光板１３の主たる光の導光方向（Ｘ方向）に平行であり、導光方向に直交する方向（Ｙ方向）に複数配列されている。出光側単位光学形状１３５は、導光板１３から出射する光に対して、その配列方向における光線制御作用を有し、導光板１３からの出射光のＹ方向における集光性等を向上させることができる。なお、このような光線制御作用を必要としない場合には、出光面１３ｃに出光側単位光学形状１３５を形成しない形態としてもよい。
【００２３】
背面側単位光学形状１３１は、図１，図２（ｂ）に示すように、背面側（Ｚ１側）に凸となる柱状であり、導光板１３の背面側（Ｚ１側）の面に、長手方向（稜線方向）をＹ方向とし、導光方向となるＸ方向に複数配列されている。
背面側単位光学形状１３１は、図２（ｂ）に示すように、その配列方向に平行であって導光板１３の板面に直交する方向における断面（ＸＺ面）における断面形状が略四角形形状である。背面側単位光学形状１３１は、入光面側（Ｘ１側）に位置する第１斜面部１３２と、対向面側（Ｘ２側）に位置し、入射する光の少なくとも一部を全反射する第２斜面部１３３と、第１斜面部１３２及び第２斜面部１３３との間に位置する頂面部１３４とを有している。
背面側単位光学形状１３１の配列ピッチは、Ｐ１である。本実施形態の配列ピッチＰ１は、背面側単位光学形状１３１の配列方向の幅Ｗ１に等しい（Ｐ１＝Ｗ１）形態となっている。
【００２４】
背面側単位光学形状１３１の配列ピッチＰ１は、Ｐ１＝８０〜３００μｍ程度とすることが好ましい。
配列ピッチＰ１が、この範囲よりも小さいと、背面側単位光学形状１３１の製造が困難となり、設計通りの形状が得られなくなり、所望する光学性能が得られない場合がある。また、配列ピッチＰ１がこの範囲よりも大きいと、ＬＣＤパネル１１の画素とのモアレが生じやすくなったり、面光源装置１０等としての使用状態において、背面側単位光学形状１３１のピッチが筋状に認識されやすくなったりする。
従って、配列ピッチＰ１は、上記範囲とすることが好ましい。
【００２５】
図３は、背面側単位光学形状１３１における光の様子を説明する図である。
図２に示すように、第１斜面部１３２は、導光板１３の板面（ＸＹ面）と角度αをなしている。また、第２斜面部１３３は、導光板１３の板面と角度βをなしている。また、頂面部１３４は、導光板１３の板面と角度γをなしている。角度α，β，γは、α＞β＞γ＞０°である。
第１斜面部１３２は、図２（ｂ），図３に示すように、入光面側端部よりも対向面側端部（頂面部１３４側の端部）が背面側（Ｚ２側）となるように傾斜している。第１斜面部１３２と導光板１３の板面（出光面１３ｃに平行な面）とがなす角度αは、約５０〜８５°である。導光板１３内を対向面側（Ｘ２側）へ導光する光は、入光面１３ａから対向面１３ｂへ（Ｘ１側からＸ２側へ）進むが、第１斜面部１３２が上述のような形状であるので、第１斜面部１３２に入射しにくい。
【００２６】
第２斜面部１３３は、図２（ｂ），図３に示すように、対向面側端部よりも入光面側端部の方が背面側（Ｚ２側）となるように傾斜しており、導光板１３の板面（ＸＹ面）と角度βをなしている。
第２斜面部１３３は、導光板１３内を導光する光の一部が入射し、入射した光の少なくとも一部を全反射する斜面である。図３に示すように、第２斜面部１３３で全反射する光（光Ｌ１）は、全反射により、出光面１３ｃ（ＸＹ面に平行な面）に対する入射角度が小さくなる方向に進行方向が変化する。そして、第２斜面部１３３で全反射した後に、出光面１３ｃに対して臨界角以上で入射した光は、導光を続けるが、臨界角未満で出光面１３ｃに入射した光の少なくとも一部（光Ｌ１）は、導光板１３から出射する。
【００２７】
頂面部１３４は、図２（ｂ），図３に示すように、その第２斜面部１３３側（対向面側、Ｘ２側）の端部が、第１斜面部１３２側（入光面側、Ｘ１側）の端部よりも出光面側（Ｚ２側）に位置するように傾斜しており、導光板１３の板面（ＸＹ面）と角度γをなしている。
図３に示すように、導光方向（Ｘ方向）に進み頂面部１３４に入射した光の少なくとも一部は、全反射して出光面１３ｃ側へ進む。このとき、全反射により出光面１３ｃに対して、出光面１３ｃに対する入射角度が小さくなる方向へ、光の進行方向が変化する。
【００２８】
多くの光（光Ｌ２）は、出光面１３ｃで全反射して対向面側へ導光を続けるが、一部の光（光Ｌ３）は、出光面１３ｃへ臨界角未満の角度で入射して導光板１３から出光する。
しかし、γ＜βであるので、頂面部１３４での全反射前後での角度変化は、第２斜面部１３３での全反射前後での角度変化よりも小さい。従って、頂面部１３４で全反射して導光板１３から出射する光は、第２斜面部１３３で全反射して導光板１３から出射する光に比べて少ない。
【００２９】
このような導光板１３において、光の導光効率及び取り出し効率の双方を向上させる観点等から、角度βは、１°＜β＜５°を満たすことが好ましい。
また、角度γは、０．２°＜γ＜０．７°を満たすことが、光の導光効率を上げ、かつ、導光板１３の導光方向における出光量の差を低減し、導光板１３の出光量差に起因する面光源装置の出光面の明暗縞とＬＣＤパネル１１の画素との干渉によるモアレを改善する観点から好ましい。
さらに、角度γ、角度βは、（β−γ）＜２°を満たすことが、導光板１３の出光量差に起因する面光源装置の出光面の明暗縞とＬＣＤパネル１１の画素との干渉によるモアレを改善する観点から好ましい。
これらの理由の詳細については、後述する。
【００３０】
図２（ｂ）に示すように、背面側単位光学形状１３１の配列方向における第２斜面部１３３の寸法をＷａとするとき、配列ピッチＰ１に対する寸法Ｗａの比Ｗａ／Ｐ１は、導光方向において入光面側から対向面側へ向かうにつれて大きくなっている。
本実施形態の比Ｗａ／Ｐ１は、最も入光面１３ａ側（Ｘ１側）では０であり、対向面１３ｂ側へ向かうにつれて次第に大きくなり、最も対向面側（Ｘ２側）では約０．５となっている。
この比Ｗａ／Ｐ１は、上記のように角度γがγ＞０°である場合、最も入光面側での最小値が約０、最も対向面側での最大値が約０．５となるような範囲内であれば、上記の例に限らず、所望する光学性能等に応じて、適宜その値を設定できる。
本実施形態のように、角度γが０．２°＜γ＜０．７°である場合、頂面部１３４に入射した光の一部が、頂面部１３４で全反射して出光面１３ｃに臨界角未満で入射し、導光板１３から出射するので、比Ｗａ／Ｐ１＝０となる領域を設けても（例えば、背面側単位光学形状１３１を第２斜面部１３３がない形状である領域を設けても）、導光板１３から光を出射させることができる。
【００３１】
対向面側へ向かうにつれて比Ｗａ／Ｐ１を大きくすることにより、背面側単位光学形状１３１における第２斜面部１３３の占める割合が大きくなる。これにより、対向面側（Ｘ２側）への導光効率が向上し、また、光量が低下する対向面側においても効率よく導光板１３から光を出光させることができ、導光方向における明るさの均一性を向上させることができる。
なお、本実施形態の比Ｗａ／Ｐ１は、背面側単位光学形状１３１の配列方向（導光方向、Ｘ方向）に沿って、連続的に、次第に変化する形態とするが、これに限らず、例えば、段階的に変化する形態としてもよい。
【００３２】
導光板１３は、背面側単位光学形状１３１を賦形する凹状の成形型を、バイト等で切削する等して作製し、その成形型を用いて、押出成形法や射出成形する等により形成される。使用する熱可塑性樹脂は、光透過性が高いものであれば特に限定されないが、例えば、アクリル系樹脂、ＣＯＰ（シクロオレフィンポリマー）樹脂、ＰＣ（ポリカーボネート）樹脂等が挙げられる。
なお、これに限らず、導光板１３は、押出成形等により成形したシート状の部材の両面に、紫外線成形法によって、背面側単位光学形状１３１及び出光側単位光学形状１３５を一体に形成して、導光板１３としてもよい。
【００３３】
図１に戻って、反射シート１４は、光を反射可能なシート状の部材であり、導光板１３よりも背面側（Ｚ１側）に配置されている。この反射シート１４は、導光板１３からＺ１側へ向かう光を反射して、導光板１３側へ向ける機能を有している。
反射シート１４は、例えば、主として拡散反射性を有し、反射率の高い白色の樹脂製のシート状部材等を用いることができる。
また、反射シート１４は、光の利用効率等を高める観点等から、主として鏡面反射性（正反射性）を有するものを用いてもよい。例えば、反射シート１４は、少なくとも反射面（導光板１３側の面）が金属等の高い反射率を有する材料により形成されたシート状の部材、高い反射率を有する材料により形成された薄膜（例えば金属薄膜）を表面層として含んだシート状の部材等を用いることができる。
【００３４】
図４は、プリズムシート１５を説明する図である。図４では、プリズムシート１５のＸＺ面に平行な断面の一部を拡大して示している。
プリズムシート１５は、導光板１３よりもＬＣＤパネル１１側（Ｚ２側、観察者側）に配置されている（図１参照）。プリズムシート１５は、導光板１３の出光面１３ｃから出射し、Ｚ方向（正面方向）に対して角度をなす方向へ進む光の進行方向を、Ｚ方向又は、Ｚ方向となす角度が小さい方向へ偏向（集光）する作用を有する偏向光学シートである。
プリズムシート１５は、プリズム基材層１５２と、プリズム基材層１５２のＺ１側（導光板１３側）に複数配列されて形成された単位プリズム１５１とを有している。
【００３５】
プリズム基材層１５２は、プリズムシート１５のベース（基材）となる部分である。プリズム基材層１５２は、光透過性を有する樹脂製のシート状の部材が用いられる。
単位プリズム１５１は、Ｚ１側（導光板１３側）に凸となる柱形状であり、プリズム基材層１５２の背面側（Ｚ１側）の面に、長手方向（稜線方向）をＹ方向とし、Ｘ方向に複数配列されている。この単位プリズム１５１の配列方向は、透過型表示装置１の表示面の法線方向（Ｚ方向）から見て、導光板１３の背面側単位光学形状１３１の配列方向に平行であり、出光側単位光学形状１３５の配列方向と直交している。
【００３６】
本実施形態の単位プリズム１５１は、略三角柱形状であり、入光面側の面１５３と、対向面側の面１５４とを有している。その配列方向（Ｘ方向）及びシート面に直交する方向（Ｚ方向）に平行な断面（ＸＺ面）での単位プリズム１５１の断面形状は、頂角をεとする略三角形形状である。
入光面側の面１５３は、シート面に平行な面（ＸＹ面）と角度θ３をなしている。
対向面側の面１５４は、外側へ凸となる折れ面状となっており、プリズム基材層側の第１の面１５４ａと、頂角側の第２の面１５４ｂとを有している。第１の面１５４ａは、シート面に平行な面（ＸＹ面）と角度θ１をなし、第２の面１５４ｂは、シート面に平行な面（ＸＹ面）と角度θ２をなしている。
【００３７】
単位プリズム１５１は、配列ピッチがＰ３、配列方向の幅がＷ３である。本実施形態の単位プリズム１５１は、配列方向において配列ピッチＰ３と配列方向のレンズ幅Ｗ３とが等しい（Ｐ３＝Ｗ３）形態となっている。
単位プリズム１５１の配列ピッチＰ３は、一般的に１０〜２００μｍとすることができる。しかし、近年、単位プリズム１５１の配列の高精細化が急速に進んでおり、より効率よく導光板１３からの光を正面方向へ向けるために、配列ピッチＰ３は、１０〜４０μｍとすることが好ましい。配列ピッチＰ３が、１０μｍよりも小さいと、製造が困難であり、好ましい光学性能が得られない。また、配列ピッチＰ３が４０μｍよりも大きいと、ＬＣＤパネル１１の画素との干渉によるモアレが生じやすくなったり、面光源装置１０等としての使用状態において、単位プリズム１５１のピッチが筋状に認識されやすくなったりする。そのため、単位プリズム１５１の配列ピッチＰ１は、上記範囲が好ましい。
【００３８】
導光板１３からの出射光は、その多くが、ＸＺ面内において、正面方向（Ｚ方向）に対してＸ２側に大きく角度をなす方向に出射する。プリズムシート１５は、図４に示すように、導光板１３から出射した光Ｌ（光Ｌ４，Ｌ５）を入光面側の面１５３から入射させ、対向面側の面１５４で全反射させることにより、その進行方向を正面方向（Ｚ方向）又は正面方向に対してなす角度が小さくなる方向へ偏向（集光）する。
なお、単位プリズム１５１は、上記の例に限らず、二等辺三角形柱形状や他の多角柱形状としてもよいし。また、単位プリズム１５１は、対向面側の面１５４が３つ以上の面からなる折れ面状としてもよいし、入光側の面も複数の面からなる折れ面状となっていてもよい。また、単位プリズム１５１は、曲面と平面とを組み合わせた形状としてもよい。
【００３９】
プリズムシート１５は、例えば、ＰＥＴ（ポリエチレンテレフタレート）樹脂製や、ＰＣ樹脂製等のシート状のプリズム基材層１５２の片面に、紫外線硬化型樹脂や電子線硬化型樹脂等の電離放射線硬化型樹脂により単位プリズム１５１を複数配列して形成することにより作製される。
なお、これに限らず、例えば、プリズムシート１５は、ＰＣ樹脂、ＭＢＳ（メチルメタクリレート・ブタジエン・スチレン共重合体）樹脂、ＭＳ（メチルメタクリレート・スチレン共重合体）樹脂、ＰＥＴ樹脂、ＰＳ（ポリスチレン）樹脂等の熱可塑性樹脂を押し出し成形すること等により形成してもよい。
【００４０】
図１に戻って、光学シート１６は、特定の偏光状態の光を透過し、それ以外の偏光状態の光については反射する機能を有する偏光選択反射シートである。光学シート１６は、プリズムシート１５のＬＣＤパネル１１側（Ｚ２側、観察者側）に設けられている。
光学シート１６は、その透過軸が、ＬＣＤパネル１１の入光側（Ｚ１側）に位置する不図示の偏光板の透過軸と平行となるように配置することが、輝度向上や光の利用効率向上の観点から好ましい。
このような偏光選択反射性を有する光学シート１６としては、例えば、ＤＢＥＦシリーズ（住友スリーエム株式会社製）を使用することができる。
【００４１】
なお、光学シート１６は、各種汎用の光拡散性を有するシート状の部材を、面光源装置１０及び透過型表示装置１として所望される光学性能や、導光板１３等の他の光学部材の光学特性等に合わせて、適宜選択して用いてよい。
例えば、光学シート１６は、光を拡散する作用を有する光拡散シートとしてもよい。光学シート１６として、光拡散シートを用いることにより、視野角を適度に広げたり、ＬＣＤパネル１１の不図示の画素と単位プリズム１５１等とによって生じるモアレ等を低減したりする効果が得られる。
このような光拡散シートは、拡散材を含有する樹脂製のシート状の部材や、基材となる樹脂製のシート状の部材の少なくとも片面等に拡散材を含有するバインダをコートした部材や、基材となる樹脂製のシート状の部材の片面等にマイクロレンズアレイが形成されたマイクロレンズシート、レンチキュラーレンズシート等の各種光学シート等を用いることができる。
【００４２】
また、前述のプリズムシート１５のプリズム基材層１５２の出光側（Ｚ２側）の面に、光学シート１６との光学密着の防止や、光拡散機能の付与を目的として、微細凹凸形状を形成してもよい。このような凹凸形状としては、ビーズ状フィラーを含有するバインダをコートして形成したマット層等が好適であるが、この限りではない。
さらに、偏光選択反射性を有する光学シート１６の背面側（Ｚ１側）に、さらに、上述のような光拡散性を有するシート等を配置してもよい。
【００４３】
図７は、モアレを生じさせる明暗縞について説明する図である。図７には、角度γ＝０°である背面側単位光学形状１３１ｂを有する導光板１３Ｂとプリズムシート１５が示されている。理解を容易にするために、プリズムシート１５は、その単位プリズム１５１を省略して簡単に示している。
背面側単位光学形状が背面側に凸となる三角柱形状であった場合、その頂角が反射シート１４を損傷したり、頂角が破損したりするという問題が生じやすい。そのため、図７に示すような、四角柱形状であって、頂面部１３４が出光面１３ｃ（ＸＹ面）に平行（γ＝０°）な背面側単位光学形状１３１ｂを形成した導光板が用いられてきた。
このような背面側単位光学形状１３１ｂを有する導光板では、主として第２斜面部１３３で全反射した光は、出光面１３ｃから出光するが、頂面部１３４で全反射した光は、全反射の前後で出光面１３ｃに対する角度が変化しないため、その多くが導光し続ける。そのため、導光板１３Ｂからの出光量は、第２斜面部１３３で全反射した光が出光面１３ｃに入射する領域では大きく、それ以外の領域では小さく、導光方向において大きくなったり、小さくなったりを繰り返す。
【００４４】
導光板１３Ｂよりも観察者側（Ｚ２側）には、導光板１３Ｂから出光した光を正面方向へ立ち上げるためのプリズムシート１５が配置されるが、プリズムシート１５を正面方向から観察した場合、この導光板１３Ｂからの出光量の差に起因する明暗縞が生じている。この明暗縞は、長手方向を導光方向に直交する方向（Ｙ方向）とする明線と暗線とが、導光方向に繰り返し現れる形態である。
導光板１３Ｂからの出光量の差による微細な明暗縞は、光拡散シート等、面光源装置に用いられる各種光学シートでは解消されず、面光源装置の出光面においても生じている。
明暗縞の明線は、主に背面側単位光学形状１３１ｂの第２斜面部１３３で反射して出光した光によるものであり、明線のピッチは、第２斜面部１３３のピッチ（すなわち背面側単位光学形状１３１ｂの配列ピッチ）に略対応する。第２斜面部１３３の配列ピッチは、非常に小さい（Ｐ１＝８０〜３００μｍ）のため、明暗縞のピッチも小さく、面光源装置の出光面での明暗縞は、人間の目に視認されにくい。
【００４５】
しかし、この明暗縞が生じている面光源装置にＬＣＤパネルを積層し、透過型表示装置としてその表示面に映像を表示すると、この明暗縞とＬＣＤパネルの画素（ドット）との干渉によって、透過型表示装置の表示面上に、明暗縞の明線よりも明るい明線が４００〜５００μｍピッチで生じるモアレが発生する。このモアレの明線は、明るく、その配列ピッチが人間の目に認識されやすい大きさであるため、ディスプレイの画質を大幅に低下させるという問題があった。そして、このモアレは、入光面側でより顕著に視認される傾向があった。
【００４６】
そこで、本願発明は、背面側単位光学形状１３１の角度γ、角度βに関して、以下の３式を満たすものとすることにより、上記の明暗縞を大幅に低減し、モアレを大幅に改善して良好な映像を表示するものとした。
０．２°＜γ＜０．７°  ・・・（式１）
１°＜β＜５°  ・・・（式２）
（β−γ）＜２°  ・・・（式３）
【００４７】
式１に関して、γ≦０．２°となる場合、頂面部１３４での全反射前後での出光面１３ｃに対する角度変化が小さくなりすぎ、頂面部１３４で全反射して導光板１３から出射する光が少なくなる。そのため、導光板１３から出光する光の大半が第２斜面部１３３で全反射した光となる。そのため、導光板１３の導光方向における出光量の差に起因する明暗縞が改善されない。
また、角度γ≧０．７°となる場合、頂面部１３４での全反射前後での出光面１３ｃに対する角度変化が大きくなり、頂面部１３４で全反射して導光板１３から出射する光が増える。そのため、導光効率が低下し、対向面側が暗くなる等、明るさの面均一性が低下する。
以上のことから、角度γは、上記式１を満たすことが好ましい。
【００４８】
式２に関して、β≦１°であると、導光方向（Ｘ方向）に進む光が、第２斜面部１３３で全反射したとき、全反射前後での出光面１３ｃ（ＸＹ面に平行な面）となす角度の変化量が小さくなり過ぎる。そのため、β≦１°では、出光面１３ｃに臨界角未満で入射する光が減少し、導光板１３から十分に光を取り出すことができず、光の取り出し効率が低下する。
また、β≧５°であると、導光方向（Ｘ方向）に進む光が、第２斜面部１３３で全反射したとき、全反射前後での出光面１３ｃとなす角度の変化量が大きくなり過ぎ、入光面側で出光量が増えるが対向面側での出光量が減少し、導光効率が低下する。また、β≧５°であると、導光板１３からの出光方向のばらつきも大きくなるので、プリズムシート１５での正面方向（Ｚ方向）への偏向作用が不十分となり、光の収束性が低下して、正面輝度が低下する。
以上のことから、角度βは、上記の式２を満たすことが好ましい。
【００４９】
式３に関して、（β−γ）≧２°となる場合、角度βと角度γとの差が大きく、第２斜面部１３３で全反射して出光する光と、頂面部１３４で全反射して出光する光との出光量の差が大きく、明暗縞が低減されない。従って、角度β及び角度γは、式３の範囲を満たすことが好ましい。
【００５０】
ここで、第１実施形態の実施例の導光板１３と比較例１，２，３の導光板とを用意し、透過型表示装置を組み立て、モアレの有無に関して調べた。
図５は、比較例１，２の導光板１３Ｂ，１３Ｃを説明する図である。
図５（ａ）は、比較例１の導光板１３Ｂを示し、図５（ｂ）は、比較例２の導光板１３Ｃを示している。図５では、比較例１，２の導光板１３Ｂ，１３ＣのＸＺ面に平行な断面の一部を拡大して示している。
以下に、実施例及び比較例１〜３の導光板の詳細について説明する。
実施例の導光板１３の背面側単位光学形状１３１は、配列ピッチＰ１＝１４８μｍ、角度β＝１．８°、角度γ＝０．４°、β−γ＝１．４°であり、前述の式１〜式３を満たしている。
【００５１】
比較例１の導光板１３Ｂは、背面側単位光学形状１３１ｂの角度γ＝０°である点以外は、実施例の導光板１３と略同様の形態である。この比較例１の導光板１３Ｂの背面側単位光学形状１３１ｂは、配列ピッチＰ１＝１４８μｍ、角度β＝２．３°、角度γ＝０°＜０．２°、β−γ＝２．３°＞２°であり、式２を満たしているが、式１及び式３を満たしていない。
比較例２の導光板１３Ｃは、背面側単位光学形状１３１ｃの角度β，γが（β−γ）＞２°である点以外は、実施例の導光板１３と略同様の形態である。この比較例２の導光板１３Ｃの背面側単位光学形状１３１ｃは、配列ピッチＰ１＝１４８μｍ、角度β＝２．５°、角度γ＝０．４°、β−γ＝２．１°＞２°であり、式１及び式２を満たしているが、式３を満たしていない。
【００５２】
図示していないが、比較例３の導光板は、背面側単位光学形状の角度γ＞０．７°である点以外は、実施例の導光板１３と略同様の形態である。この比較例３の導光板の背面側単位光学形状は、配列ピッチＰ１＝１４８μｍ、角度β＝２．４°、角度γ＝０．８°＞０．７°、β−γ＝１．６°であり、式１を満たしていないが、式２及び式３を満たしている。
【００５３】
実施例の導光板１３及び比較例１，２の導光板１３Ｂ、１３Ｃ、比較例３の導光板は、いずれも、アクリル系樹脂製であり、その屈折率は１．４９である。また、実施例の導光板１３及び比較例１，２の導光板１３Ｂ、１３Ｃ、比較例３の導光板は、その厚みが約６００μｍである。
実施例の導光板１３、比較例２の導光板１３Ｃ、比較例３の導光板の比Ｗａ／Ｐ１は、最も入光面側で０、最も対向面側で約０．５であり、入光面側から対向面側へ連続的に大きくなっている。比較例１の導光板１３Ｂの比Ｗａ／Ｐ１は、最も入光面側で約０．２、最も対向面側で約０．８であり、入光面側から対向面側へ連続的に大きくなっている。
実施例の導光板１３及び比較例１、２の導光板１３Ｂ、１３Ｃ、比較例３の導光板において、出光側単位光学形状１３５は、図２（ａ）に示すような五角形柱形状であり、配列ピッチＰ２＝３６μｍ、角度δ１＝１４０°、角度δ２＝４５°である。
【００５４】
これらの実施例の導光板１３及び比較例１，２の導光板１３Ｂ，１３Ｃ、比較例３の導光板を、それぞれ面光源装置１０に組み込み、透過型表示装置１を作成して映像（白色画面）を表示し、モアレの有無を目視によって調べた。
実施例の導光板１３及び比較例１，２の導光板１３Ｂ，１３Ｃ、比較例３の導光板をそれぞれ組み込む透過型表示装置１において、各導光板以外の他の部材は、同じものを用いている。
光源部１２は、点光源１２１にＬＥＤ光源（白色光）を用いている。
反射シート１４は、ＰＥＴ樹脂製の白色シートである。
【００５５】
プリズムシート１５：
プリズム基材層１５２は、厚さ１２５μｍ、ＰＥＴ樹脂製のシート状の部材である。
単位プリズム１５１は、アクリルウレタン樹脂（紫外線硬化型樹脂）製であり、略三角柱形状である。単位プリズム１５１は、配列ピッチＰ３＝１８μｍ、角度θ１＝５８．５°、角度θ２＝５６°、角度θ３＝５８．３°、角度ε＝６５．７°である。
光学シート１６は、偏光選択反射シート（住友スリーエム株式会社製  ＤＢＥＦ−Ｄ３−２６０）である。
ＬＣＤパネル１１は、有効表示画面８インチ、不図示の画素の配列ピッチが９０μｍ、導光方向（Ｘ方向）における透過部（カラーフィルタ）の割合が７８％である。
【００５６】
モアレの評価方法は、実施例の導光板１３及び比較例１，２の導光板１３Ｂ，１３Ｃ、比較例３の導光板を組み込んだ各透過型表示装置１を暗室環境下に用意し、その表示面に白色画面を表示する。そして、その表示面の中心からＺ方向に沿ってＺ２側に２０センチ離れた位置から観察者が表示面を観察し、モアレが視認されるか否かを被験者が目視で判断する。なお、モアレは、明室環境下に比べて暗室環境下の方が観察しやすいため、暗室環境下において評価を行った。
【００５７】
【表１】
0006500613.tif 000002
【００５８】
表１は、実施例の導光板１３及び比較例１，２の導光板１３Ｂ，１３Ｃ、比較例３の導光板の角度β、γ等と透過型表示装置に組み込んで映像を表示した場合のモアレの強度に関してまとめた表である。
表１に示すように、比較例１の導光板１３Ｂを用いた透過型表示装置では、その画面に、導光板１３Ｂからの出光量差に起因した明暗縞とＬＣＤパネル１１の画素との干渉によるモアレが画面全体に著しく生じていた。このモアレは、強度が強く、良好な映像の視認を大きく妨げ、画質を著しく低下させた。
比較例２の導光板１３Ｃを用いた透過型表示装置では、比較例１の導光板１３Ｂを用いた透過型表示装置よりも強度が弱いモアレが発生しており、画質の低下が生じていた。
比較例３の導光板を用いた透過型表示装置では、画面にモアレは生じていたが、比較例１及び比較例２の透過型表示装置に比べて、その強度は弱かった。しかし、対向面側の輝度が低下して暗く、輝度ムラが生じており、明るさの面均一性が低下していた。
【００５９】
また、比較例２の導光板１３Ｃ、比較例３の導光板を用いた透過型表示装置では、導光板の入光面側（光源部側）の比Ｗａ／Ｐ１が０〜１０％程度の領域では、モアレは生じておらず、対向面側に向かうにつれてモアレが発生し、その強度が強くなっていた。これは、比Ｗａ／Ｐ１が０〜１０％程度の領域では、第２斜面部１３３が小さく、第２斜面部１３３に入射する光は少なく、各導光板から出射する光は、ほとんどが頂面部１３４で全反射して出光面１３ｃに臨界角未満で入射した光であり、出光量差がわずかであり、明暗縞がほとんど発生しないか生じてもその明暗差がわずかであるためであった。
【００６０】
一方、実施例の導光板１３を用いた実施例の透過型表示装置１では、モアレは生じていたが、非常に弱く、映像の視認に与える影響は非常に小さく、良好な映像が視認された。
また、実施例の導光板１３を用いた透過型表示装置１では、導光効率が高く、明るさの面均一性が高かった。
さらに、実施例の導光板１３を用いた透過型表示装置１においても、導光板の入光面側の比Ｗａ／Ｐ１が０〜１０％程度の領域では、モアレは生じておらず、対向面側に向かうにつれてモアレが発生していたが、その強度は小さく、画質にほとんど影響が出ず、良好な映像が観察された。
【００６１】
以上のことから、本実施形態によれば、導光板１３の導光方向における出光量の変化を低減して明暗縞の差を大幅に低減し、モアレの発生を改善し、良好な映像を表示できる。
また、本実施形態によれば、導光方向における輝度ムラを大幅に抑制し、明るさの面均一性も良好な透過型表示装置１とすることができる。
【００６２】
（第２実施形態）
図６は、第２実施形態の導光板２３を説明する図である。図６では、導光板２３のＸＺ面に平行な面での断面を拡大して示している。
第２実施形態の導光板２３は、頂面部２３４が、複数の斜面で形成された階段状となっている点が異なる以外は、第１実施形態の導光板１３と略同様の形態である。したがって、前述した第１実施形態と同様の機能を果たす部分には、同一の符号又は末尾に同一の符号を付して、重複する説明を適宜省略する。
第２実施形態の導光板２３は、Ｚ２側の面に出光側単位光学形状１３５が複数配列されて形成され、Ｚ１側の面に背面側単位光学形状２３１が複数配列されて形成されている。
【００６３】
背面側単位光学形状２３１は、背面側（Ｚ１側）に凸となる柱状であり、長手方向（稜線方向）をＹ方向とし、導光方向となるＸ方向に複数配列されている。背面側単位光学形状２３１は、図５に示すように、その配列方向に平行であって導光板１３の板面に直交する方向における断面（ＸＺ面）における断面形状が略四角形形状である。
背面側単位光学形状２３１は、入光面側（Ｘ１側）に位置する第１斜面部１３２と、対向面側（Ｘ２側）に位置し、入射する光の少なくとも一部を全反射する第２斜面部１３３と、第１斜面部１３２及び第２斜面部１３３との間に位置する頂面部２３４とを有している。
【００６４】
頂面部２３４は、背面側（Ｚ１側）への高さｈの異なる複数の面を有している。ここで、背面側（Ｚ１側）への高さｈとは、背面側単位光学形状２３１間の谷底に位置する点ｖを通り導光板１３の板面に平行な面から、背面側（Ｚ１側）に位置する各面の中央となる点への寸法であるものとする。
一例として、図５に示す頂面部２３４は、４つの面２３４ａ，２３４ｂ，２３４ｃ，２３４ｄを有している。この面２３４ａ〜２３４ｄは、出光面１３ｃに平行な面（ＸＹ面）に対していずれも角度γをなし、対向面側端部が入光面側端部よりも高さｈが低い（Ｚ２側に位置する）形態となっている。また、各面２３４ａ〜２３４ｄは、背面側単位光学形状２３１の長手方向（Ｙ方向）を長手方向とし、背面側単位光学形状２３１の配列方向（Ｘ方向）に平行な方向に配列されている。
【００６５】
面２３４ａ〜２３４ｄのうち、最も第１斜面部１３２側（入光面側、Ｘ１側）に位置する面２３４ａがＺ方向において最も出光面側（Ｚ２側）に位置し、第２斜面部１３３側（対向面側、Ｘ２側）に向かうにつれて、次第に背面側（Ｚ１側）となり、最も第２斜面部１３３側に位置する面２３４ｄは、最も背面側（Ｚ１側）に位置している。頂面部２３４は、これらの面２３４ａ〜２３４ｄにより、配列方向（Ｘ方向）に沿って階段状となっている。従って、この導光板２３は、反射シート１４との接触面積が小さい。
また、面２３４ａ〜２３４ｄの間に斜面２３４ｅが形成されている。この斜面２３４ｅは、導光板１３の板面（ＸＹ面に平行な面）と角度αをなし、第１斜面部１３２に平行な斜面である。
第２実施形態の導光板２３は、角度γ、角度βに関する前述の式１〜式３を満たしている。
【００６６】
なお、本実施形態では、面２３４ａ〜２３４ｄは、その配列方向における幅が等しい例を挙げて説明するが、配列方向における幅は、等しくなくてもよい。また、各面間の背面側への高さｈの差は、一定であってもよいし、異なっていてもよい。さらに、面２３４ａ〜２３４ｄが導光板１３の板面となす角度γは、前述の式１〜式３を満たすならば、各面によって異なっていてもよい。
【００６７】
本実施形態によれば、透過型表示装置の表示面に表れるモアレを抑制し、良好な映像を表示できる。
また、本実施形態によれば、導光方向における輝度ムラを抑制し、明るさの面均一性を向上させることができる。
【００６８】
（変形形態）
以上説明した各実施形態に限定されることなく、種々の変形や変更が可能であって、それらも本発明の範囲内である。
（１）面光源装置１０は、対向面１３ｂを第２入光面１３ｂとし、この面に対向する位置にさらに光源部１２を配置してもよい。
この場合、例えば、背面側単位光学形状１３１は、その配列方向（Ｘ方向）において、入光面１３ａから導光板１３の中心点までは、上述の実施形態の形状であり、その中心点から第２入光面１３ｂまでは、上述の実施形態のＸ方向を逆転した形状とする。このとき、中心点から第２入光面１３ｂまでは、Ｘ２側に向かうにつれて比Ｗａ／Ｐ１が次第に小さくなる形状とすることが好ましい。導光板１３の背面１３ｄは、ＸＺ面に平行な断面において、Ｘ方向（導光方向）の中心を通りＺ方向に平行な直線を軸として対称な形状となる。
【００６９】
（２）導光板１３は、入光面側（Ｘ１側）が厚く、対向面側（Ｘ２側）へ進むにつれて次第に薄くなる形状としてもよい。
【００７０】
（３）出光側単位光学形状１３５は、配列ピッチＰ２が配列方向における幅Ｗ２よりも大きく、各出光側単位光学形状１３５間に、平面部や凹部等が形成された形状としてもよい。なお、背面側単位光学形状１３１，２３１についても同様に、配列ピッチＰ１が幅Ｗ１よりも大きな形状としてもよい。
【００７１】
（４）面光源装置１０は、導光板１３の背面側（Ｚ１側）に反射シート１４が配置される例を示したが、これに限らず、例えば、反射シート１４ではなく、面光源装置１０又は透過型表示装置１の筐体の導光板１３の背面側に位置する面に、白色や銀色等の光反射性を有する塗料や金属箔等を塗付又は転写等して形成してもよい。
【００７２】
（５）使用環境や所望の光学性能に合わせて、面光源装置１０として導光板１３と組み合わせて用いる各種光学シート等は、適宜選択して用いることができる。例えば、プリズムシート１５以外の偏向作用を有する光学シートを用いてもよい。また、プリズムシート１５とＬＣＤパネル１１との間に、拡散作用を有する光学シートや、各種レンズ形状やプリズム形状が形成された他の光学シート等を組み合わせて配置してもよい。
【００７３】
なお、本実施形態及び変形形態は、適宜組み合わせて用いることもできるが、詳細な説明は省略する。また、本発明は以上説明した各実施形態によって限定されることはない。
【符号の説明】
【００７４】
１    透過型表示装置
１０    面光源装置
１１    ＬＣＤパネル
１２    光源部
１３，２３    導光板
１３１，２３１    背面側単位光学形状
１３２    第１斜面部
１３３    第２斜面部
１３４，２３４    頂面部
１３５    出光側単位光学形状
１４    反射シート
１５    プリズムシート
１５１    単位プリズム
１６    光学シート
【図１】
0006500613.tif 000003
【図２】
0006500613.tif 000004
【図３】
0006500613.tif 000005
【図４】
0006500613.tif 000006
【図５】
0006500613.tif 000007
【図６】
0006500613.tif 000008
【図７】
0006500613.tif 000009